(57)【要約】【課題】  編機の上方から円状に配置した編針（メリヤス針）の中心中空部に挿入された円筒が、糸の絡みの原因となる編地の浮き上がりを抑制するため、製紐安定性が向上させることを目的とする。【解決手段】  中空の芯棒と、前記芯棒の外周に周方向に等間隔に配置され前記芯棒の端部から突出して上下動する複数本のメリヤス針と、前記芯棒に対し回転可能に装着された外筒と、前記メリヤス針の上方に配置された糸絡み防止手段とを備えた編機。【選択図】図1
2015232189.tif 000002
【特許請求の範囲】
【請求項１】
中空の芯棒と、前記芯棒の外周に周方向に等間隔に配置され前記芯棒の端部から突出して上下動する複数本のメリヤス針と、前記芯棒に対し回転可能に装着された外筒と、前記メリヤス針の上方に配置された糸絡み防止手段とを備えた編機。
【請求項２】
前記糸絡み防止手段が、前記芯棒の中空部に挿入された円筒体である請求項１に記載の編機。
【請求項３】
前記メリヤス針に供給する糸を案内する糸ガイドを、前記芯棒を中心軸として回転するように設けた請求項１又は２に記載の編機。
【請求項４】
請求項１〜３いずれかに記載の紐状物の編機を用いて得られる紐状物の製造方法。
【発明の詳細な説明】
【技術分野】
【０００１】
この発明は、円筒状紐を編成する編機であって、高速運転を可能とした編機に関する発明である。
【背景技術】
【０００２】
近年、環境汚染に対する関心が高まり、また水質に関する規制が強化されていることから、分離の完全性、コンパクト性などに優れた濾過膜を用いた水処理が注目を集めている。このような水処理の濾過膜として、中空状多孔質膜が用いられ、この中空状多孔質膜には、優れた分離特性や透過性能のみならず、高い機械特性が必要とされる。   
【０００３】
機械特性に優れた中空状多孔質膜としては、例えば、糸を丸打ちした円筒状組紐からなる中空状多孔質膜用支持体（以下、単に支持体ということもある）の外周面に、多孔質膜層を設けた中空状多孔質膜が知られている。この中空状多孔質膜は、支持体を環状ノズルに連続的に通過させ、環状ノズルから製膜原液を吐出し、支持体の外周面に製膜原液を塗布した後、製膜原液が塗布された支持体を凝固浴槽内に通し、凝固浴槽内の凝固液で製膜原液を凝固させることにより製造される。   
【０００４】
支持体としての円筒状組紐は、通常、製紐機により製造される。製紐機においては、平板上に立設した多数のボビンから各糸を引き出し、各糸を相互に交差させて組むとともに、各ボビンを所定の経路に沿って移動させることにより糸の位置関係を所定のパターンで変化させて組紐が製造される。   
【０００５】
しかしながら、このような製紐機は、小分けした多数のボビンが複雑な動きをしているため、通常は、製紐機による円筒状組紐の製紐速度は１０〜２０ｍ／ｈｒ程度であり製紐速度をそれ以上、上げることが難しく、生産性が低いという問題がある。このように生産性が低いと、支持体（円筒状組紐）のコストが上昇し、その結果、支持体を用いる中空状多孔質膜のコスト上昇にもつながる。
【０００６】
一方で、糸を丸編みして紐状物を製造する編機が知られている。この編機は中空の芯棒の周囲に回転する外筒を備え、外筒にはボビンから供給される糸を案内する糸案内ガイドが設けられている。芯棒の外周面に沿って外筒の端面から突出する複数のメリヤス針（あるいはラッチ針、ベラ針とも言う）が上下動可能に設けられている。糸案内ガイドは、供給される糸をメリヤス針の所定の位置に案内する（特許文献１参照）。
メリヤス針には、下降動作の際に係止した糸が抜けないように開閉するラッチが設けられている。このラッチはメリヤス針が上昇する際には、次の糸を係止するために開いている必要があるため、メリヤス針が上昇する際にラッチが閉じるのを防止するラッチ押さえを備えた丸編機がある（特許文献２参照）。   
【０００７】
中空糸膜の生産性を向上する手段として、本発明者等は、下記特許文献３及び特許文献４に開示されているように、丸編みによって円筒状編紐を編成することにより、円筒状組紐と同等の機械特性（耐圧強度、引張り強度等）を有するうえ、組紐よりも生産性が良い支持体が得られること、また円筒状編紐を加熱した熱処理金型に通して材料の溶融温度未満の温度で加熱処理を施すことにより伸縮性（外径変化）が抑えられた円筒状編紐支持体（以下、編紐支持体とする）が得られることを見出し、これに基づいた中空状多孔質膜用支持体の製造方法及び装置を既に提案している。     
【先行技術文献】
【特許文献】
【０００８】
【特許文献１】実開昭６０−１９３９９３号公報
【特許文献２】実開昭４８−８９９５０号公報
【特許文献３】特開２００８−１１４１８０号公報
【特許文献４】特開２００９−０５２１９０号公報
【発明の概要】
【発明が解決しようとする課題】
【０００９】
しかしながら、特許文献３や特許文献４で開示された製造方法及び製造装置では、生産性を向上するため丸編機の回転速度を上げて生産速度を向上する方法が取られている。製造条件によっては回転速度が３０００ｍｉｎ−１を超えることがあるが、一般的に編紐を編成する丸編機の回転速度は５００〜１０００ｍｉｎ−１が想定されており、これらの製造方法及び製造装置における丸編機の回転速度は通常の３倍以上となり、丸編機を構成する部品類、特にメリヤス針及びメリヤス針と摺動するカム山部の磨耗劣化が激しくなる他、丸編み機の上方から円状に配置したメリヤス針の中心中空部に挿入された円筒が、糸の絡みの原因となる編地の浮き上がりにより、製紐安定性が低下する。
【００１０】
そこで、この発明は、丸編機の回転速度を上げてもカムが丸編機を構成する部品類の磨耗を抑制し、編地の浮き上がりにより、製紐安定性が低下することのない円筒状編紐を生産性良く製造できる中空状多孔質膜用支持体に用いる円筒状編紐を編成する丸編機を提供するものである。   
【課題を解決するための手段】
【００１１】
本発明の態様は、中空の芯棒と、前記芯棒の外周に周方向に等間隔に配置され前記芯棒の端部から突出して上下動する複数本のメリヤス針と、前記芯棒に対し回転可能に装着された外筒と、前記メリヤス針の上方に配置された糸絡み防止手段とを備えた編機である。   
【００１２】
本発明の第２の態様は、状物の編機を用いて得られる紐状物の製造方法である。   
【発明の効果】
【００１３】
本発明の中空状多孔質膜用支持体の製造方法によれば、編機の上方から円状に配置した編針（メリヤス針）の中心中空部に挿入された円筒が、糸の絡みの原因となる編地の浮き上がりを抑制するため、製紐安定性が向上する。
【図面の簡単な説明】
【００１４】
【図１】本発明の丸編機の側断面図である。
【図２】本発明の丸編機のメリヤス針が上下動する姿勢変化を示す斜視図である。
【図３】本発明の実施形態の一つである丸編機の要部を示す斜視図である。
【図４】図３とは逆方向から見た丸編機の斜視図である。
【図５】糸がメリヤス針に巻き付く状態を示す斜視図である。
【図６】ラッチの回動範囲と糸の関係を示す説明図である。
【図７】糸の配索状況を示す模式的に示す平面図である
【図８】本発明の丸編機の芯棒の斜視図である。
【図９】メリヤス針の正面図である。
【図１０】編紐の構造を示す図である。
【図１１】本発明の糸絡み防止手段を表す正面図である。
【図１２】本発明の糸絡み防止手段を表す上面図である。
【発明を実施するための形態】
【００１５】
以下、本発明の丸編機及び本編機で製造される編紐について説明する。
本発明の製編に用いる糸の材料としては、合成繊維、半合成繊維、再生繊維、天然繊維等が挙げられる。また、複数種類の繊維を組み合わせたものであってもよい。
合成繊維としては、ナイロン６、ナイロン６６、芳香族ポリアミド等のポリアミド系繊維；ポリエチレンテレフタレート、ポリブチレンテレフタレート、ポリ乳酸、ポリグリコール酸等のポリエステル系繊維；ポリアクリロニトリル等のアクリル系繊維；ポリエチレン、ポリプロピレン等のポリオレフィン系繊維；ポリビニルアルコール系繊維；ポリ塩化ビニリデン系繊維；ポリ塩化ビニル系繊維：ポリウレタン系繊維；フェノール樹脂系繊維
；ポリフッ化ビニリデン、ポリテトラフルオロエチレン等のフッ素系繊維；ポリアルキレンパラオキシベンゾエート系繊維等が挙げられる。
半合成繊維としては、セルロースジアセテート、セルローストリアセテート、キチン、キトサン等を原料としたセルロース誘導体系繊維：プロミックスと呼称される蛋白質系繊維等が挙げられる。  
再生繊維としては、ビスコース法、銅−アンモニア法、有機溶剤法等により得られるセルロース系再生繊維（レーヨン、キュプラ、ポリノジック等）が挙げられる。天然繊維としては、亜麻、黄麻等が挙げられる。
【００１６】
これらのなかでは、耐薬品性に優れる点から、ポリエステル系繊維、アクリル系繊維、ポリビニルアルコール系繊維、ポリアミド系繊維、ポリオレフィン系繊維からなる群から選ばれる１種が好ましく、中空状多孔質膜の洗浄に用いられる次亜塩素酸塩（例えば次亜塩素酸ナトリウム）に対する耐性が優れる点では、ポリエステル繊維（ＰＥＴ）が特に好ましい。
【００１７】
支持体に用いる糸の形態としては、モノフィラメント、マルチフィラメント、紡績糸等が挙げられるが、本発明の中空状多孔質膜用支持体の形態としては、マルチフィラメントが好ましい。
【００１８】
支持体に用いる糸の繊度は所望の中空状多孔質膜の外径を勘案して適当な繊度を決定できる。中空状多孔質膜の外径が細すぎると生産性が低下すること、太すぎると外力に対して潰れやすくなることから０．５ｍｍ〜５．０ｍｍが望ましいため、中空状多孔質膜用支持体に用いられる糸の繊度としては５６〜１０００ｄｔｅｘの糸を用いることが好ましい。
【００１９】
この実施形態の丸編機で編まれた紐状物は、熱処理金型を通過させることにより熱処理し、かつ外径を所定の大きさに絞るサイジングを行って伸縮性のない支持体となる。次に、このサイジングされた支持体は、その外表面に膜形成樹脂溶液が塗布されることにより外側に多孔質膜層が形成された中空糸膜とすることができる。
【００２０】
円筒状編紐の編目の数は、１周あたり５以上が好ましい。編目の数は、後述の丸編機のメリヤス針の数と同じである。編目の数が５以上であれば、編紐支持体の中空部の断面形状が円形となり、内径縮小化による通水性の低下が抑えられる。編目の数の上限は、円筒状編紐の外径、糸の繊度、編目の大きさ（ループの大きさ）等により決まる。編目が大きい場合、製膜原液を編紐支持体に塗布する際に、製膜原液が編紐支持体の内部に流入して中空部が閉塞するおそれがある。したがって、同じ外径の円筒状編紐を製造する場合、糸の繊度が高いと編目の数は少なく、繊度が低いと編目の数は多く設定する必要がある。
【００２１】
図１はこの発明の実施形態の丸編機を示している。丸編機１は基台に固定される板状のベース板２を備えている。ベース板２には、一端側に基台に固定される固定孔３が形成され、他端側には取付孔４が設けられている。取付孔４には中空の芯棒５が下部を２つのナット６，６により弛み止めされた状態で締め付け固定されている。芯棒５は後述する外筒７の上端部から突出し、外筒７の回転中心軸として機能する。また、芯棒５は上端部において編まれた紐状物を中空部内を経て下方に案内する機能と、後述するメリヤス針８の上下方向の動きを案内するガイドとしての機能を備えている。ここで、この実施形態ではメリヤス針８に１６Ｇのサイズを用いている。   
【００２２】
芯棒５は下部外周にナット６，６が螺合される雄ねじ部９と、雄ねじ部９の上側外周にベアリング１０の内周側を装着するベアリング装着部１１とを備え、ベアリング装着部１１の上側外周には外筒７から突出する上端部に至るまでの範囲でメリヤス針８を周方向でセットする案内溝１２が周方向に１２箇所形成されている。案内溝１２の溝底１３の直径は８ｍｍとなっているが、編まれる紐状物の直径に合わせてこの直径寸法は例えば３ｍｍ以上〜１２ｍｍ未満のものが使用できる。この案内溝１２に合計１２本のメリヤス針８が配置されている。   
【００２３】
芯棒５のベアリング装着部１１にはベアリング１０のインナレースが嵌装され、ベアリング１０はベース板２上に端面を載置した状態となっている。ベアリング１０のアウタレースに外筒７が回転可能に装着されている。尚、外筒７の回転数は３０００ｍｉｎ−１で、連続運転１００時間以上でも編み目飛びなく良好であることが要求される。
尚、ベアリング１０としては高速回転によっても上部が振れを起こさないように複列アンギュラ型のベアリングを用いることが好ましい。また、ベルトＶに替えて歯付きベルトを使用することができる。
【００２４】
外筒７の下部には、それよりも上の部分に比較して直径が大きい大径部１４が形成されている。大径部１４の外周には断面Ｖ字状のベルト溝１５が形成され、このベルト溝１５に図示しない駆動装置に連係されたベルトを掛け渡して外筒７を回転駆動させる。ここで、大径部１４の下端面はベース板２の上面を切除して形成された座グリ部１６にやや入り込むようになっている。   
【００２５】
外筒７の内周面には下カム１７と上カム１８が、外筒７の外周面からねじ込まれた下ねじ１９と上ねじ２０によって各々固定されている。上カム１８の下縁と下カム１７の上縁との間には、一定の間隔が溝幅として確保されると共に外筒７の内周面を溝底とするガイド溝２１が楕円形状に形成されている。このガイド溝２１はメリヤス針８の下部付近にラッチ２８の開閉する方向に突出するバット部２２を受け入れている。ガイド溝２１は、展開した形状が山形になっており、外筒７が回転することにより芯棒５の周りに配置された各メリヤス針８が上下動する。ここで、外筒７には長孔２３が設けられ、この長孔２３に挿通された上ねじ２０で上カム１８を固定し、上ねじ２０を緩めることにより下カム１７との間に形成されたガイド溝２１の溝幅（間隔“Ｈ”）の調整を行うことができる。   
【００２６】
外筒７の上端部には、外筒７と同径で外筒７の一部をなすエンドプレート２４が外筒７に固定ねじ２９によって取り付けられている。エンドプレート２４が外筒７に取り付けられた状態で、エンドプレート２４から芯棒５の上端部が突出した状態となっている。エンドプレート２４は外筒７と芯棒５との間に挿入されるボス部３０を備えている。また、エンドプレート２４には、エンドプレート２４を貫いて、上カム１８の上縁を位置決めするストッパねじ２５が取り付けられている。ストッパねじ２５には、このストッパねじ２５を位置固定するロックねじ２６が設けられている。上ねじ２０で上カム１８の位置を仮止めした状態で、ストッパねじ２５を必要な位置までねじ込んで、ロックねじ２６でストッパねじ２５をロックした後に、上ねじ２０で上カム１８を本締めし、上カム１８の位置を固定する。   
【００２７】
メリヤス針８は、上端部にフック２７を備え、フック２７はラッチ２８により開閉可能となった周知の構造である。フック２７が外側に向いた状態で案内溝１２に１２本のメリヤス針８が配置されている。これらのメリヤス針８は、上カム１８と下カム１７が外筒７と共に回転することにより、芯棒５の案内溝１２に沿って順番に上昇して下降する。芯棒５の上端面からは１１本のメリヤス針８が突出している。   
【００２８】
エンドプレート２４には、メリヤス針８に供給される糸を案内する棒状で簡素で軽量な構造の糸案内ガイド３１が下部のねじ部３２をねじ込んで固定されている。糸案内ガイド３１の上端には図示しないボビンからの糸が挿通され別部材により構成されたガイド孔３４が設けられている。ねじ部３２にはロックナット３５が設けられている。また、ガイド孔３４を構成する材料の材質は摩耗を抑制するためにセラミックを使用することが望ましい。ここで、糸案内ガイド３１も外筒７と共に回転するので、糸案内ガイド３１に対して上死点位置にあるメリヤス針８までの回転方向での角度は変化しない。   
外筒７と共に回転する糸案内ガイド３１から糸が送り出されながら、芯棒５から突出しているメリヤス針８に糸が巻き付くように供給され、順次上下動するメリヤス針８のフック２７に係止して新しいループ３７が芯棒５の下に向かって形成されてゆく。   
【００２９】
図２は、一本のメリヤス針８が上下動する姿勢変化の様子（丸編機１による編成動作を示す概略図）を順に説明している。ここでは、メリヤス針８の１本の動きを説明しやすいように平面上に展開している。符号（１）、（２）、（３）は上カム１８により、メリヤス針８が下降している様子を示し、符号（５）、（６）、（７）は下カム１７によってメリヤス針８が上昇している様子を示す。
各メリヤス針８には紐状物（図示略）の上端部を構成する前回のループ３６が挿通されている。姿勢（１）では、ラッチ２８が開いた状態でメリヤス針８はフック２７が糸４０を係止して下降を始める。姿勢（２）では、メリヤス針８はフック２７に糸４０を係止した状態から更に下降し、前回のループ３６によってラッチ２８が閉じる方向に姿勢変化する。姿勢（３）では、前回のループ３６から抜け出る直前のラッチ２８がフック２７を完全に閉じ、係止した糸４０がフック２７から抜け出ない状態となり下降を続ける。   
【００３０】
姿勢（４）では前回のループ３６からフック２７が下側に抜けて、糸４０を引き出した状態となる。姿勢（５）では、今度はメリヤス針は前回のループ３６から抜けた状態で前回のループ３６の外周側に上昇し始める。この時、姿勢（５）で引き出された糸４０は新しいループ３７となり、この新しいループ３７はラッチ２８を開き始める。姿勢（６）で更に上昇するメリヤス針８のラッチ２８が新しいループ３７により開き、姿勢（７）で、ラッチ２８が開いた状態でメリヤス針８はフック２７が次に送り出される糸４０に係止する。この後、メリヤス針８が下降して姿勢（１）となる。ここで、姿勢（６）から姿勢（７）に移行する際に、新しいループ３７からラッチ２８が抜けた直後にラッチ２８が跳ね上がるように動作する。   
【００３１】
これは、丸編み機１による編成動作の観点から、以下のように説明できる。   
姿勢（１）において、糸４０をフック２７に引っ掛ける。姿勢（２）、（３）において、糸４０を引き下げながら、以前に編成された既存ループ３６を通過することによりラッチ２８が閉じられ、フック２７が既存ループ３６に引っ掛らないようになっている。姿勢（４）において既存ループ３６からメリヤス針８が下方に抜ける。次に、姿勢（５）、（６）に示すように、メリヤス針８が上昇すると、新たに形成されつつあるループ３７の糸４０によりラッチ２８が開放され、姿勢（７）において、新たなループ３７が形成される。以上の作用を繰り返すことにより連続的に丸編みを行い、図１０に示すような円筒状編紐Ａを編成する。編成した円筒状編紐Ａは、芯棒５の中空部５ａ（図１、図２参照）を通過して丸編機１の下方に排出され、図示しない引取り機によって引き取られる。   
【００３２】
ここで、姿勢（５）、（６）、すなわち、メリヤス針８が上昇する際、糸と針の間の摩擦により編地がメリヤス針に追随して上昇し、ラッチから抜けきらずに糸の把持・解放を繰り返すことができなくなり、糸が絡み製造が停止する不具合が発生することがある。この不具合は摩擦が大きくなる製紐速度が速い条件、つまり丸編み機の回転数が高い条件ほど不具合の発生頻度が上昇する傾向にある。
【００３３】
そこで、本発明の丸編み機は、図１１及び図１２に示すように、円状に配置されたメリヤス針８の上方から芯棒５の中心中空部に円筒形状の糸絡み防止手段１００を挿入することで、編地を上方から抑えつけた状態になり、糸がメリヤス針に追随して上昇することを防止し、糸の絡みを回避することが可能になる。および４は本発明の丸編み機の一例を示しているが、上昇する編地を上方から抑えつける機能を有していれば形状は特に限定されない。
【００３４】
図２で示した一本のメリヤス針８の姿勢は、図３、図４に示すように、各メリヤス針８の、ある時点での姿勢となる。ここで、図３、図４は丸編機の要部を互いに違う方向から見た斜視図であり、既に編み込まれたループは図示都合上記載していない。図３、図４に示すように、図示しない外筒が反時計回りに回転すると、芯棒５は回転せず糸案内ガイドが反時計回りに回転する。図３では上死点にあるメリヤス針８（ａ）を基準にして、反時計回りに下死点にあるメリヤス針８（ｂ）までの間は突出量が徐々に少なくなり上昇するメリヤス針８が位置しており、上死点にあるメリヤス針８（ａ）を基準にして時計回りに下死点にあるメリヤス針８（ｂ）までの間は突出量が徐々に少なくなり下降するメリヤス針８が位置している。   
【００３５】
ここで、糸案内ガイド３１のガイド孔３４から供給されるボビンからの糸４０は、上死点位置のメリヤス針８（ａ）から反時計回りで２番目の位置にあるメリヤス針８（ｃ）の外側に位置し、これから斜め下側に向かって、上死点位置のメリヤス針８（ａ）から時計回りで４番目のメリヤス針８（ｄ）のフック２７を結ぶ範囲で、各メリヤス針８の周囲に巻き付くようにして配索されている。尚、図３、図４において図２で説明したメリヤス針８の姿勢番号を併せて記載する。   
【００３６】
図５は複数のメリヤス針８の周囲に巻き付くように接触して配索される糸４０の通過経路を示している。ここで、図５においては、手前側のメリヤス針８のみを示している。   
上死点のメリヤス針８（ａ）から反時計回りで２番目の位置にある上昇するメリヤス針８（ｃ）では、糸４０はラッチ２８の付け根部分の高さであってメリヤス針８に接触しない位置を通過し、前回のループ３６はラッチから抜ける直前にある。   
上死点のメリヤス針８（ａ）から反時計回りで１番目の位置にある上昇するメリヤス針８（ｅ）では、糸４０はラッチ２８の付け根部分よりも下側であってメリヤス針８に接触した位置を通過し、前回のループ３６はラッチ２８から抜けた直後となる。   
上死点のメリヤス針８（ａ）では、糸４０はラッチ２８の上下方向中央部付近に接触した位置を通過し、前回のループ３６は完全にラッチ２８から抜けている。   
【００３７】
上死点のメリヤス針８（ａ）から時計回りで１番目の位置にある下降するメリヤス針８（ｆ）では、糸４０はラッチ２８の上下方向中央部付近に接触した位置を通過し、前回のループ３６にラッチ２８から近づいている。   
上死点のメリヤス針８（ａ）から時計回りで２番目の位置にある下降するメリヤス針８（ｇ）では、糸４０はラッチ２８の上下方向中央部付近に接触した位置を通過し、前回のループ３６にラッチ２８が到達している。   
上死点のメリヤス針８（ａ）から時計回りで３番目の位置にある下降するメリヤス針８（ｈ）では、糸４０はラッチ２８の付け根部分よりも上に接触した位置を通過し、前回のループ３６によってラッチ２８がフック２７を閉じる方向に回動している。   
上死点のメリヤス針８（ａ）から時計回りで４番目の位置にある下降するメリヤス針８（ｄ）では、糸４０はラッチ２８のフック２７に係止した状態となり、前回のループ３６によってラッチ２８がフック２７を完全に閉じている。   
【００３８】
つまり、糸案内ガイド３１の取付位置で糸４０の通過位置を特定すると、上昇動作中にラッチ２８が前回のループ３６から抜けた直後のメリヤス針８（ｅ）のラッチ２８の回動範囲内と、フック２７が閉じ更に下降しようとする芯棒５の上端部に位置するメリヤス針８（ｄ）のフック２７が糸に係止する位置との間を結ぶ範囲内であって、複数のメリヤス針８，８，８…の外接面に沿う経路の延長線上に糸案内ガイド３１のガイド孔３４が位置するように、糸案内ガイド３１が外筒７に取り付けられている。   
【００３９】
図６は外筒７及び芯棒５を軸方向の上側から見た図、図７は図１の要部拡大図である。   
図６において、糸案内ガイド３１のガイド孔３４の位置が、外筒７の周方向では、上死点位置にあるメリヤス針８（ａ）の位置から外筒７の反時計回り（回転方向）に向かって角度θ（４５度〜１００度）の範囲に設定され、糸案内ガイド３１のガイド孔３４の位置が、上死点位置にあるメリヤス針８（ａ）のフック２７の上端部を基準とした上下方向の寸法Ｋがフック２７から２ｍｍ（上方に２ｍｍ）〜−４ｍｍ（下方に４ｍｍ）の範囲内に設定されている。また、糸案内ガイド３１のガイド孔３４の位置と芯棒５の軸心とを結ぶ線上で、ガイド孔３４の位置と芯棒５の接線との間の距離Ｌは５ｍｍ〜８ｍｍに設定されている。尚、この値はラッチ２８の長さにより変動する値である。   
【００４０】
ここで、角度θの範囲は４５度〜１００度に設定することがより好ましい。このように設定することで、特に前回のループ３６から抜け出したラッチ２８の跳ね上がりを糸４０自身により阻止して確実に次の糸４０をメリヤス針８により係止することを可能としている。θが上記範囲を小さい方に外れると、糸がメリヤス針のラッチ２８の回動範囲から外れてしまい、ラッチ２８の跳ね上げを発揮できなくなる可能性が発生する。一方、θが上記範囲を大きい方に外れると、糸案内ガイド３１を出た直後の糸４０の通過位置が、芯棒５の案内溝１２の径よりも内側となるため、糸４０の下方で上昇してくるメリヤス針８の背面を糸４０が通過して、その後に下降する際にフック２７に糸４０が係止できなくなる恐れがある。
【００４１】
尚、この発明は上記実施形態に限られるものではなく、ベアリング１０としてアンギュラベアリングを用いたが、単列ベアリングを上下に配置する構造も採用可能である。また、メリヤス針８の配置数、サイズ、糸の太さなどは一例であって、この実施形態以外の配置数、サイズ、糸の太さのものにも適用できる。   
【００４２】
一方、図８に示すように、芯棒５は円筒状編紐Ａが下方に向かって通過する中空部５ａを備えた筒状の部材であって、上端部と下端部がやや小径に形成されている。芯棒５の下端部外周にナット６，６が螺合される雄ねじ部９と、雄ねじ部９の上側外周にベアリング１０の内周側を装着するベアリング装着部１１とを備えている。ベアリング装着部１１の上側外周には外筒７から突出する上端部に至るまでの範囲でメリヤス針８を周方向でセットする案内溝１２が周方向に均等に６箇所形成されている。この案内溝１２に合計６本のメリヤス針８が配置されている。案内溝１２の溝底１３の直径ｄ（以下、底部円周直径ｄという）は円筒状編紐Ａの外径に合わせて設定される。円筒状編紐Ａの外径はこの実施形態では１〜１４ｍｍの範囲が好ましく、２〜１２ｍｍがより好ましい。   
【００４３】
図９に示すように、メリヤス針８は、上端部にフック２７を備え、フック２７はラッチ２８により開閉可能となった周知の構造である。メリヤス針８の下部付近にラッチ２８の開閉する方向に突出するバット部２２が形成されている。メリヤス針８は０．５ｍｍ前後の薄い板材で、材質は一般的に炭素工具鋼が用いられ、熱処理後の表面硬度はＨＲＣ６０以上となった一般的なものである。ここで、ＨＲＣ測定方法は、ＪＩＳ  Ｚ  ２２４５：２００５による。   
【００４４】
フック２７、ラッチ２８の大きさは一般的にゲージ“Ｇ”で表され、編成する糸４０の繊度により適宜選択される。この実施形態では１６Ｇが好適である。また、メリヤス針８の本数は円筒状編紐Ａの編み目の開き具合にもよるが５〜１６本が好ましく、８〜１２本がより好ましい。この実施形態では図２に示す芯棒５の案内溝１２の数である６本の場合で説明している。そして、この場合に芯棒５の底部円周直径ｄ及びメリヤス針８の本数の組合せにより得られる円筒状編紐Ａの外径は、約２〜８ｍｍである。   
これらメリヤス針８は、フック２７が外側に向いた状態で案内溝１２に配置され、後述する上カム１８と下カム１７が外筒７と共に回転することにより、バット部２２が上カム１８と下カム１７との間に係止して芯棒５の案内溝１２に沿って順番に上昇して下降する。   
【実施例】
【００４５】
（実施例１）
糸は繊度１６７ｄｔｅｘのポリエステルマルチフィラメントを用い図１に記載の丸編機を用い、円状に配置されたメリヤス針の上方から中心中空部に糸絡み防止手段円筒５０を挿入された丸編み機にて、丸編み機の回転数を３０００ｒｐｍに設定し、中空状多孔質膜用の支持体を製紐した。２００時間連続で製紐したところ、糸の絡みによる製紐の停止は発生せず、製紐安定性は良好であった。
【００４６】
（比較例１）
円状に配置されたメリヤス針の上方から中心中空部に円筒を挿入しない点以外は実施例１と同様に中空状多孔質膜用の支持体を製紐した。実施例１と同様に２００時間連続の製紐を試みたが、１５３時間後に、糸の絡みによる製紐の停止が発生した。
【産業上の利用可能性】
【００４７】
本発明の支持体は、精密濾過膜、限外濾過膜等の複合多孔質膜の支持体として好適であり、該支持体を用いた中空状多孔質膜は、精密濾過、限外濾過等による水処理に用いる濾過膜の製造用の支持体として好適である。
【符号の説明】
【００４８】
１  丸編機   
５  芯棒   
７  外筒   
８  メリヤス針   
１２  案内溝   
１８  上カム   
１７  下カム     
２８  ラッチ  
３４  ガイド孔  
３６  ループ
３９  空間部   
４０  糸   
５０ 糸絡み防止手段
【図１】
2015232189.tif 000003
【図３】
2015232189.tif 000004
【図７】
2015232189.tif 000005
【図２】
2015232189.tif 000006
【図４】
2015232189.tif 000007
【図５】
2015232189.tif 000008
【図６】
2015232189.tif 000009
【図８】
2015232189.tif 000010
【図９】
2015232189.tif 000011
【図１０】
2015232189.tif 000012
【図１１】
2015232189.tif 000013
【図１２】
2015232189.tif 000014